(57)【要約】【課題】左右の肺野領域の特徴の変化を把握しやすく、効率の良い読影を可能とする。【解決手段】医用画像処理装置は、医用画像に含まれる左右の肺野領域を抽出し（ステップＳ１）、前記抽出された左の肺野領域と右の肺野領域との特徴量の差を算出する（ステップＳ３）画像解析手段と、前記算出された特徴量の差を肺野領域の位置に対して示す特性情報を作成し、前記医用画像とともに表示手段に表示させる（ステップＳ４）制御手段と、を備える。【選択図】図２
2010167067.tif 000002
【特許請求の範囲】
【請求項１】
医用画像に含まれる左右の肺野領域を抽出し、前記抽出された左の肺野領域と右の肺野領域との特徴量の差を算出する画像解析手段と、
前記算出された特徴量の差を肺野領域の位置に対して示す特性情報を作成し、前記医用画像とともに表示手段に表示させる制御手段と、
医用画像処理装置。
【請求項２】
前記特性情報は、肺野領域の垂直方向の位置に対する左右の肺野領域の特徴量の差を示すグラフであり、
前記制御手段は、前記グラフにおいて肺野領域の何れかの位置がユーザにより指定されると、前記表示された医用画像の肺野領域のうち、当該指定された位置に対応する領域を識別表示させる請求項１に記載の医用画像処理装置。
【請求項３】
前記制御手段は、前記特性情報の表示サイズの変更がユーザにより指示されると、当該特性情報の表示サイズを変更して表示手段に表示させる請求項１又は２に記載の医用画像処理装置。
【請求項４】
前記制御手段は、前記特性情報の表示位置の変更がユーザにより指示されると、当該特性情報の表示位置を変更して表示する請求項１〜３の何れか一項に記載の医用画像処理装置。
【請求項５】
前記特徴量の差は、濃度差である請求項１〜４の何れか一項に記載の医用画像処理装置。
【請求項６】
前記特徴量の差は、テクスチャ特徴量の差である請求項１〜４の何れか一項に記載の医用画像処理装置。
【請求項７】
コンピュータを、
医用画像に含まれる左右の肺野領域を抽出し、前記抽出された左の肺野領域と右の肺野領域との特徴量の差を算出する画像解析手段、
前記算出された特徴量の差を肺野領域の位置に対して示す特性情報を作成し、前記医用画像とともに表示手段に表示させる制御手段、
として機能させるためのプログラム。
【発明の詳細な説明】
【技術分野】
【０００１】
本発明は、医用画像処理装置及びプログラムに関する。
【背景技術】
【０００２】
胸部が撮影された医用画像を読影するに際して、肺野領域の濃度や大きさ、形状の変化は、肺疾患の有無や換気量の変化を示唆する重要な因子である。医師はこれらの因子に注意して読影を行うが、胸部は複雑な構造をしており、肺野全体の濃度分布や濃度差を認識するのは容易ではなく、肺疾患の有無を判別するには経験と知識が必要である。
【０００３】
このような医師の読影を支援するため、従来、濃度値についての定量的な情報を医師に提供することが行われている。例えば、過去の医用画像と現在の医用画像の濃度値を差分した差分画像を作成し、表示することが行われている。
【０００４】
また、左右の肺野領域で一定領域毎に濃度値の平均値を算出し、算出した平均値をヒストグラムや折れ線のようなグラフで表示したり、医用画像上でグラフィック表示したりする方法も開示されている（例えば、特許文献１参照）。
【先行技術文献】
【特許文献】
【０００５】
【特許文献１】特開平７−１９４５８３号公報
【発明の概要】
【発明が解決しようとする課題】
【０００６】
しかしながら、差分画像は経時変化による濃度変化を把握することは可能かもしれないが、左右の肺野間の濃度変化を把握することはできない。また、差分画像は比較のために読影の対象となる医用画像と同じ表示サイズで表示され、表示スペースを占有する。差分画像の表示のため、読影対象とする医用画像の表示サイズは小さくせざるを得ず、読影しづらい状況となっていた。
【０００７】
上記特許文献１の方法により、左右それぞれの肺野領域から算出された濃度値の平均値をグラフ表示した場合、グラフから左右の肺野領域で濃度変化があることは把握できるが、肺野領域のどこで濃度変化があるのか、その位置を直感的に把握しづらい。医師はグラフ上の濃度変化が医用画像上のどの位置で起こっているのか対応をとらなければならず、効率的な読影ができない。一方、医用画像上でグラフィック表示した場合、濃度変化がある位置は把握しやすいかもしれないが、グラフィック表示により医用画像が塗りつぶされる等するため、医師が医用画像を読影する妨げとなる。
【０００８】
本発明の課題は、左右の肺野領域の特徴の変化を把握しやすく、効率の良い読影を可能とすることである。
【課題を解決するための手段】
【０００９】
請求項１に記載の発明によれば、
医用画像に含まれる左右の肺野領域を抽出し、前記抽出された左の肺野領域と右の肺野領域との特徴量の差を算出する画像解析手段と、
前記算出された特徴量の差を肺野領域の位置に対して示す特性情報を作成し、前記医用画像とともに表示手段に表示させる制御手段と、
医用画像処理装置が提供される。
【００１０】
請求項２に記載の発明によれば、
前記特性情報は、肺野領域の垂直方向の位置に対する左右の肺野領域の特徴量の差を示すグラフであり、
前記制御手段は、前記グラフにおいて肺野領域の何れかの位置がユーザにより指定されると、前記表示された医用画像の肺野領域のうち、当該指定された位置に対応する領域を識別表示させる請求項１に記載の医用画像処理装置が提供される。
【００１１】
請求項３に記載の発明によれば、
前記制御手段は、前記特性情報の表示サイズの変更がユーザにより指示されると、当該特性情報の表示サイズを変更して表示手段に表示させる請求項１又は２に記載の医用画像処理装置が提供される。
【００１２】
請求項４に記載の発明によれば、
前記制御手段は、前記特性情報の表示位置の変更がユーザにより指示されると、当該特性情報の表示位置を変更して表示する請求項１〜３の何れか一項に記載の医用画像処理装置が提供される。
【００１３】
請求項５に記載の発明によれば、
前記特徴量の差は、濃度差である請求項１〜４の何れか一項に記載の医用画像処理装置が提供される。
【００１４】
請求項６に記載の発明によれば、
前記特徴量の差は、テクスチャ特徴量の差である請求項１〜４の何れか一項に記載の医用画像処理装置が提供される。
【００１５】
請求項７に記載の発明によれば、
コンピュータを、
医用画像に含まれる左右の肺野領域を抽出し、前記抽出された左の肺野領域と右の肺野領域との特徴量の差を算出する画像解析手段、
前記算出された特徴量の差を肺野領域の位置に対して示す特性情報を作成し、前記医用画像とともに表示手段に表示させる制御手段、
として機能させるためのプログラムが提供される。
【発明の効果】
【００１６】
本発明によれば、特徴量の差の特性情報により、左右の肺野領域の特徴の変化とその特徴の変化が生じている肺野領域の位置を容易に把握できる。また、特徴の変化がある肺野領域については特性情報とともに表示された医用画像により読影することができ、効率的な読影が可能である。
【図面の簡単な説明】
【００１７】
【図１】本実施の形態における医用画像処理装置の機能的構成を示す図である。
【図２】特徴量の差の特性情報を提供する際に、医用画像処理装置により実行される処理を示すフローチャートである。
【図３】肺野領域の抽出方法を説明する図である。
【図４】水平方向における濃度値のヒストグラムである。
【図５】左の肺野領域と右の肺野領域の対応領域の決定に必要な正中線の求め方を説明する図である。
【図６】左の肺野領域と右の肺野領域の対応領域を示す図である。
【図７】（ａ）分割数５の場合に作成される濃度差のグラフである。（ｂ）分割数８の場合に作成される濃度差のグラフである。
【図８】異常症例の場合の医用画像とグラフの表示例である。
【図９】正常症例の場合の医用画像とグラフの表示例である。
【図１０】グラフの表示位置及び表示サイズを変更した場合の表示例である。
【図１１】医用画像の肺野領域のうち、グラフで選択された特性曲線の一部に対応する分割領域を識別表示した表示例である。
【図１２】特定の位置関係にある１対の画素を示す図である。
【発明を実施するための形態】
【００１８】
以下、図面を参照して本発明の実施の形態について説明する。
【００１９】
図１は、本実施形態における医用画像処理装置１０の機能的構成を示す。
図１に示すように、医用画像処理装置１０は制御部１１、操作部１２、表示部１３、通信部１４、記憶部１５、画像解析部１６を備えて構成されている。
【００２０】
制御部１１は、ＣＰＵ（Central Processing Unit）、ＲＡＭ（Random Access Memory）を備えて構成される。制御部１１は記憶部１５に記憶されているプログラムとの協働により各種処理を実行し、各種演算を行うとともに各部を制御する。
例えば、制御部１１は画像解析部１６によって算出された左右の肺野領域の特徴量の差を、肺野領域の位置に対して示す特性情報を作成し、前記医用画像とともに表示部１３に表示する。
【００２１】
操作部１２はキーボード、マウスを備え、これらの操作に応じた操作信号を生成して制御部１１に出力する。
表示部１３はディスプレイを備え、制御部１１の表示制御に従って読影対象の医用画像や左右の肺野領域の特徴量の差の特性情報を表示する。
【００２２】
記憶部１５は、例えばハードディスクのような大容量メモリから構成され、各種プログラムやパラメータ、データを記憶する。例えば、記憶部１５は読影の対象となる医用画像、画像解析部１６による解析結果を記憶している。
【００２３】
画像解析部１６は、医用画像を解析して医用画像に含まれる左右の肺野領域を抽出する。また、画像解析部１６は左の肺野領域と右の肺野領域とで対応する対応領域を決定し、決定された左右の対応領域の特徴量の差を算出する。なお、画像解析部１６による画像解析の処理は、記憶部１５に記憶される画像解析用のプログラムとＣＰＵとの協働によるソフトウェア処理により実現してもよいし、画像解析用の回路のようなハードウェアによって実現してもよい。
【００２４】
図２は、読影対象の医用画像を表示する際に、上記医用画像処理装置１０により実行される処理を示すフローチャートである。この処理では、読影対象の医用画像に含まれる左右の肺野領域の特徴量の差が算出され、その特性情報が医師に提供される。読影対象の医用画像は、ネットワークを介して接続される撮影装置から取得してもよいし、医用画像を管理するサーバからダウンロードしてもよい。読影対象の医用画像は記憶部１５に記憶され、医師によって読影対象の医用画像の表示が指示されると、制御部１１の制御によって当該記憶された医用画像が画像解析部１６に出力される。
【００２５】
図２に示すように、画像解析部１６は入力された医用画像を処理対象として当該医用画像から肺野領域を抽出する（ステップＳ１）。まず、画像解析部１６は図３に示すように処理対象の医用画像ｄ１を、平均化フィルタを用いて平均化処理する。平均化フィルタのマスクサイズは例えば８×８画素である。画像解析部１６は、平均化処理後の処理画像ｄ２を垂直方向に２０画素幅の領域に分割し、分割された帯状の領域毎に水平方向における濃度値のヒストグラムを作成する。
【００２６】
図４は、ある帯状の領域について作成されたヒストグラムの一例を示している。ヒストグラムの横軸は帯状の領域の水平方向における画素の位置を示し、縦軸はその画素の位置における累積濃度値を示している。画像解析部１６はこのヒストグラムにおいて変曲点ｒｒｅｆ、ｍｒｅｆ、ｌｒｅｆを特定し、各変曲点ｒｒｅｆ、ｍｒｅｆ、ｌｒｅｆにおける濃度値のうちの最小値から５を引いた値を閾値に設定する。画像解析部１６はヒストグラムにおいて閾値以下の濃度値を有する画素を初期領域として求める。その結果、図３の処理画像ｄ３に示すような初期領域ｄ３１が求められる。
【００２７】
次いで、画像解析部１６は初期領域ｄ３１に対してＳｎａｋｅ法（”Snakes:Active countour models”M.Kass,A.Witkin,and Terzopulos , Internatioal Jounal of Computer,Vol.1,No4,pp.321-331,1988）による領域拡張を行う。Ｓｎａｋｅ方法とは、画像平面上のある曲線上で、内部エネルギー、画像エネルギーの線形和として表されるエネルギー関数を用いる方法である。エネルギー関数が最小となるように形状の修正、輪郭線の抽出が行われる。
図３の処理画像ｄ４に示すように、領域拡張によって最終的に得られた領域ｄ４１を、画像解析部１６は肺野領域として抽出する。
なお、上述した肺野領域の抽出方法は一例である。肺野領域の抽出方法は特に限定されず、何れの方法を使用してもよい。
【００２８】
肺野領域が抽出されると、画像解析部１６は抽出された左の肺野領域と右の肺野領域とで対応する対応領域を決定する（ステップＳ２）。図５に示す医用画像を例に説明すると、まず画像解析部１６は医用画像から抽出された左右の肺野領域において、右肺の上端点Ｒｔ、下端点Ｒｂ、左肺の上端点Ｌｔ、下端点Ｌｂを求める。上端点Ｒｔ、Ｌｔは左右の肺野領域のうち垂直方向の座標がそれぞれ最小となる画素であり、下端点Ｒｂ、Ｌｂは垂直方向の座標がそれぞれ最大となる画素である。
【００２９】
次いで、画像解析部１６は医用画像に正中線を設定する。具体的には、画像解析部１６は右肺及び左肺の上端点Ｒｔ、Ｌｔのうち垂直方向の座標が大きい方を上端境界点、右肺と左肺の下端点Ｒｂ、Ｌｂのうち垂直方向における座標が小さい方を下端境界点として求める。図５に示す例では左肺の上端点Ｌｔが上端境界点であり、右肺の下端点Ｒｂが下端境界点である。また、画像解析部１６は、図５に示すように上端境界点と下端境界点間の垂直方向の距離を２分割する線を描き、描いた線と左右の肺野領域の外郭との交点Ｒｃ、Ｌｃを求める。そして、画像解析部１６は右肺と左肺の上端点Ｒｔ、Ｌｔの水平方向における中点ｍ１と、右肺及び左肺の交点Ｒｃ、Ｌｃの水平方向における中点ｍ２とを求め、求めた２つの中点ｍ１、ｍ２を結ぶ線を正中線Ｃとして設定する。
【００３０】
次いで、画像解析部１６は図５に示すように上端境界点（左肺の上端点Ｌｔ）、下端境界点（右肺の下端点Ｒｂ）のそれぞれにおいて正中線Ｃに垂直な境界線ｅｔ、ｅｂを設定し、設定した２つの境界線ｅｔ、ｅｂにより囲まれる肺野領域を左右で比較する対象に設定する。この比較の対象に設定された肺野領域のみ特徴量の差の算出が行われる。
次いで、画像解析部１６は、比較の対象に設定された左右の肺野領域を正中線Ｃの方向に複数に分割し、各分割領域を左右で対応する対応領域に設定する。例えば、図６に示すように左右の肺野領域を５つに分割した場合、右の肺野領域から５つの分割領域Ｒ１〜Ｒ５が得られ、左の肺野領域から５つの分割領域Ｌ１〜Ｌ５が得られる。このとき、分割領域Ｒ１と分割領域Ｌ１、分割領域Ｒ２と分割領域Ｌ２のように、左右で隣接する分割領域がそれぞれ左右で対応する対応領域として設定される。
【００３１】
次いで、画像解析部１６は左右の対応領域を解析し、特徴量の差を算出する（ステップＳ３）。特徴量は、画像の特性を示す指標となるのであれば何れの特徴量であってもよく、例えば濃度値そのものや濃度値から求められるテクスチャ特徴量等が挙げられる。テクスチャ特徴量は濃度の一様性や方向性、コントラスト変化等を表す。
【００３２】
本実施形態では、特徴量の差として濃度差（濃度値の差）を算出する例を説明する。
画像解析部１６は、図６に示す各分割領域Ｒ１〜Ｒ５、Ｌ１〜Ｌ５について分割領域内の各画素の濃度値の平均値を算出する。次に、画像解析部１６は各分割領域Ｒ１〜Ｒ５、Ｌ１〜Ｌ５で算出された平均値を左右の対応領域同士で差分し、濃度差を算出する。ここでは、左の分割領域の平均値から右の分割領域の平均値の差分が算出されたこととする。
【００３３】
このように、画像解析部１６によって濃度差が算出されると、制御部１１は算出された濃度差を肺野領域の位置に対して示す特性情報を作成し、当該特性情報を解析対象となった医用画像とともに表示部１３に表示させる（ステップＳ４）。ここでは、肺野領域の位置に対する濃度差を示すグラフを特性情報として作成する例を説明する。
肺野領域を５分割している場合、濃度差は５つ算出されるので、制御部１１は図７（ａ）に示すように５つの濃度差をプロットし、その近似曲線を描いてグラフを作成する。グラフの横軸は濃度差を表し、縦軸は肺野領域の垂直方向における位置を表しており、描かれた近似曲線は肺野領域の垂直方向の位置に対する濃度差を示す特性曲線である。横軸の「Ｌ」の方向は左の肺野領域が右の肺野領域よりも濃度値が大きいことを示し、「Ｒ」の方向は右の肺野領域が左の肺野領域よりも濃度値が大きいことを示す。濃度差は左の分割領域の平均値から右の分割領域の平均値を差分して求められているので、濃度差が正の値であればＬ側に、負の値であればＲ側に濃度差がプロットされる。
【００３４】
肺野領域の分割数は設定により変更可能である。制御部１１は設定された分割数に応じた特性曲線を計算し、グラフ上に描く。
肺野領域の分割数が増加すれば、濃度差のプロット数が増加するため、グラフ中の特性曲線は左右の肺野領域の濃度差をより明確に表した曲線となる。例えば、肺野領域を８分割した場合、図７（ｂ）に示すようなグラフが作成される。図７（ａ）に示す５分割の場合と比較して、より精密な特性曲線が描かれ、濃度差が明確となっている。
このように、分割数によって描かれる特性曲線が異なるので、医師は目的に応じて分割数を設定すればよい。例えば、ノイズや小さな病変の濃度差の影響は無視したい場合には分割数を小さく設定することができ、小さな病変の濃度差も確認したい場合には分割数を大きく設定することができる。
【００３５】
作成されたグラフは医用画像とともに表示される。
図８は肺野に病変が存在する異常症例の場合の表示例を示し、図９は肺野に病変が存在しない正常症例の場合の表示例を示している。
図８及び図９に示すように、解析対象となった医用画像Ｆが表示され、医師の読影に供される。また、医用画像に隣接して作成されたグラフＨが表示される。なお、図８及び図９は、比較対象領域を８分割したときの表示例を示している。
【００３６】
図９に示すように、病変が存在しない場合、左右の肺野領域の濃度変化は小さい。そのため、グラフＨ上の特性曲線も左右何れかに偏ることはなく、濃度差０付近に描かれる。
これに対し、病変が存在する場合、病変部分と正常組織部分とで濃度差が生じるため、左右何れかの肺野に病変が含まれれば左右の肺野領域の濃度差は大きくなる。その結果、図８に示すようにグラフＨには左右に振れ幅が大きい特性曲線が描かれるので、医師は特性曲線が左右の何れかに偏っている位置において病変が存在すると容易に把握できる。
【００３７】
初期表示時、図８及び図９に示すように、グラフＨの肺野領域の垂直方向におけるサイズと、医用画像の比較対象領域の垂直方向におけるサイズとが同一となるように、グラフＨ及び医用画像Ｆが表示される。すなわち、初期表示においては、グラフＨの縦軸で示される垂直方向の位置は、隣接して表示されている医用画像Ｆの肺野領域の垂直方向の位置と一致している。特性曲線が左右の肺野領域の何れかに偏っている部分があれば、医師はその偏っている部分の位置からそのまま目線を水平に移動して医用画像を読影し、病変の有無を診断すればよい。特性曲線と医用画像上の肺野領域の位置との対応関係が分かりやすく、効率的な読影が可能である。
【００３８】
グラフＨの表示サイズ及び表示位置は医師の操作に応じて変更することができる。例えば、図１０に示すように、制御部１１は医師による縮小の指示操作に応じてグラフＨの表示サイズを小さく変更し、さらにドラッグ及びドロップ操作に応じて表示サイズが小さく変更されたグラフＨを医用画像Ｆ上に重ねて表示する。グラフＨが表示されていたスペースが空くので、医用画像Ｆを拡大表示したり、患者情報等の他の情報を表示したりすることができる。
【００３９】
さらに、図１１に示すように医師によりグラフＨ中の特性曲線の一部が選択操作されると、制御部１１は選択された特性曲線の部分に対応する分割領域を特定し、医用画像Ｆの肺野領域のうち、特定された分割領域Ｆｔの色を変えて識別表示するようにしてもよい。識別表示によって、医師は特性曲線と医用画像Ｆの肺野領域との対応関係を容易に把握することができる。特に、グラフＨの表示サイズや表示位置を変更した場合、グラフＨと医用画像の肺野領域の垂直方向の位置が一致しなくなるため、グラフＨと肺野領域の垂直方向の位置の対応関係が把握しづらくなるが、識別表示によればそのような問題も解消することができる。なお、識別表示の方法としては色を変えるだけでなく、その領域を枠で囲む等、何れの方法であってもよい。
【００４０】
以上のように、本実施形態によれば、画像解析部１６が医用画像に含まれる左右の肺野領域を抽出し、当該抽出された左の肺野領域と右の肺野領域の特徴量の差として濃度差を算出する。制御部１１は当該算出された濃度差を肺野領域の垂直方向の位置に対して示す特性情報を作成し、医用画像とともに表示部１３に表示させるので、医師は濃度差の特性情報により、左右の肺野領域の濃度変化とその濃度変化が生じている肺野領域の位置を容易に把握できる。また、また、濃度変化がある肺野領域については特性情報とともに表示された医用画像により読影することができ、効率的な読影が可能である。
【００４１】
濃度差の特性情報は、肺野領域の垂直方向の位置に対する濃度差を示す特性曲線が描かれたグラフであるので、医師はグラフによって濃度変化の有無、濃度変化が生じている位置を直感的に把握することができる。
また、グラフにおいて特性曲線の一部が医師により選択されると、制御部１１は選択された一部に対応する分割領域を特定し、医用画像中の肺野領域のうち、当該特定された分割領域を識別表示するので、医師はグラフ中の特性曲線により示される濃度差と、医用画像中の肺野領域の位置との対応関係を容易に把握することができる。
【００４２】
また、制御部１１は医師の指示操作に応じて、濃度差の特性情報の表示サイズ、表示位置を変更するので、医師は濃度差の特性情報の配置を自由に決めることができ、使い勝手が良い。
【００４３】
なお、上述の実施形態は本発明の好適な一例であり、これに限定されない。
例えば、上記実施形態では左右の対応領域の濃度値の平均値の差を濃度差として求めていたが、濃度値の累積加算値の差を濃度差として求めることとしてもよい。また、対応領域内の各画素の濃度値の標準偏差の差を濃度差として求めてもよい。
【００４４】
また、特徴量の差として、濃度差ではなくテクスチャ特徴量の差を用いる場合、濃度共起行列によりテクスチャ特徴量を算出することができる。濃度共起行列は、ある特定の相対的な位置関係にある１対の画素において、各画素の濃度値が一定の関係となる頻度を表す。例えば、図１２に示すように画像の水平方向の座標をｘ、垂直方向の座標をｙとして画素の位置を表すと、ある画素（ｘ１、ｙ１）とその画素（ｘ１、ｙ１）からみて角度θの方向に距離ｄだけ離れた位置関係にある画素（ｘ２、ｙ２）に着目する。この１対の画素（ｘ１、ｙ１）、（ｘ２、ｙ２）の濃度値ｉ、ｊを求め、濃度共起行列（ｉ，ｊ｜ｄ，θ）の対応する項に累積していく。
【００４５】
このように求められた濃度共起行列から下記式１〜５に示されるエネルギー、エントロピー、平均、逆差分モーメントといった各種テクスチャ特徴量を算出することができる。上記実施形態で用いられた濃度差に代えてテクスチャ特徴量の差を求め、その特性情報を作成すればよい。この場合も上記実施形態による効果と同様に、医師は画像の特徴の変化とその特徴の変化が生じている位置を容易に把握できる。例えば、左右何れかの肺野に濃度差としては大きくはない、淡い粒状の陰影を伴う病変が存在する場合のように、濃度差よりはテクスチャ特徴量の差の方が、差が大きく左右での変化を把握しやすい場合がある。このような場合には、テクスチャ特徴量の差の特性情報を提供することにより、医師の読影をサポートすることができる。
【数１】
2010167067.tif 000003
なお、上記式において、Ｎは画像の濃度レベルの数、ｖｘ、ｖｙは濃度値の平均、σｘ、σｙは濃度値の分散である。
【００４６】
また、本発明に係るプログラムのコンピュータ読み取り可能な媒体としては、ＲＯＭ、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【符号の説明】
【００４７】
１０    医用画像処理装置
１１    制御部
１２    操作部
１３    表示部
１４    通信部
１５    記憶部
１６    画像解析部
【図１】
2010167067.tif 000004
【図２】
2010167067.tif 000005
【図４】
2010167067.tif 000006
【図１２】
2010167067.tif 000007
【図３】
2010167067.tif 000008
【図５】
2010167067.tif 000009
【図６】
2010167067.tif 000010
【図７】
2010167067.tif 000011
【図８】
2010167067.tif 000012
【図９】
2010167067.tif 000013
【図１０】
2010167067.tif 000014
【図１１】
2010167067.tif 000015